(57)【要約】  前側腰部区域、後側腰部区域、前側腰部区域と後側腰部区域との間に配置される股部区域、前側腰部端縁部、後側腰部端縁部、前側腰部端縁部の中点から後側腰部端縁部の中点まで延びる長手方向軸、第１の長手方向に延びる側縁部、第２の長手方向に延びる側縁部、外面、内面、トップシート、バックシート及びバックシートとトップシートとの間に配置される吸収性コアを含む吸収性物品が提供される。前側腰部区域の一部及び後側腰部区域の一部が、表面が向かい合う関係で接合されて、第１の恒久的な側縁部シーム及び横方向に対向する第２の恒久的な側縁部シームを含むパンツを形成する。第１及び第２の恒久的な側縁部シームは、初期腰部開口周辺部及び一対の脚部開口部を画定する。吸収性物品は、第１締結表面及び第１取り付け表面を含む第１締結構成要素を含む。第１取り付け表面は、吸収性物品の前側腰部区域の内面又は外面上に配置される。吸収性物品は、第２締結表面を含む第２締結構成要素を含む。第２締結構成要素は、第１取り付け表面がその上に配置される吸収性物品の表面と同じ表面の上に配置されるか、又はその一部を形成する。第１及び第２の恒久的な側縁部シームによって形成される、初期腰部開口周辺部は開かれるように構成される。第１締結表面及び第２締結表面は互いに再締結可能に係合され、かつ分離される。
2013517104.tif 000002
【特許請求の範囲】
【請求項１】
前側腰部区域、後側腰部区域、前記前側腰部区域と前記後側腰部区域との間に配置される股部区域、前側腰部端縁部、後側腰部端縁部、前記前側腰部端縁部の中点から前記後側腰部端縁部の中点まで延びる長手方向軸、第１の長手方向に延びる側縁部、第２の長手方向に延びる側縁部、外面、内面、トップシート、バックシート、及び前記バックシートと前記トップシートとの間に配置される吸収性コアを含み、
前記前側腰部区域の一部及び前記後側腰部区域の一部が、表面が向かい合う関係で接合されて、第１の恒久的な側縁部シーム及び横方向に対向する第２の恒久的な側縁部シームを含むパンツを形成し、前記第１及び第２の恒久的な側縁部シームが初期腰部開口周辺部及び一対の脚部開口部を画定する、吸収性物品であって、
第１締結表面及び第１取り付け表面を含む第１締結構成要素であって、前記第１取り付け表面は、前記吸収性物品の前記前側腰部区域における前記内面又は前記外面上に配置される、第１締結構成要素と、
第２締結表面を含む第２締結構成要素であって、前記第２締結構成要素は、前記第１取り付け表面がその上に配置される前記吸収性物品の表面と同じ表面の上に配置されるか、又はその一部を形成する、第２締結構成要素と、
分離ゾーンと、を含み、
前記第１及び第２の恒久的な側縁部シームによって形成される、前記初期腰部開口周辺部は開かれるように構成され、
前記第１締結表面及び前記第２締結表面は互いに再締結可能に係合され、かつ分離される、吸収性物品。
【請求項２】
前記分離ゾーンが、前記第１締結構成要素及び前記第２締結構成要素の一方と同じ腰部区域内に配置される、請求項１に記載の吸収性物品。
【請求項３】
前記初期腰部開口周辺部は、前記分離ゾーンの第１部分を前記分離ゾーンの第２部分から分離することによって開かれるように構成される、請求項１又は２に記載の吸収性物品。
【請求項４】
前記第１締結表面は、前記分離ゾーンの第１部分を前記分離ゾーンの第２部分から分離する前に、前記第２締結構成要素又は前記吸収性物品の別の部分と再締結可能に係合されていない、請求項１〜３のいずれか一項に記載の吸収性物品。
【請求項５】
前記分離ゾーンの一部は、前記第１締結構成要素と前記第２締結構成要素との間に配置される、請求項１〜４のいずれか一項に記載の吸収性物品。
【請求項６】
前記分離ゾーンの一部は、前記第１の恒久的な側縁部シームの横方向内側に配置され、前記第１締結構成要素は、前記第１の恒久的な側縁部シームと前記長手方向軸との間に配置される、請求項１〜５のいずれか一項に記載の吸収性物品。
【請求項７】
前記分離ゾーンは、分離後、
前記腰部開口部から前記脚部開口部の一方まで延びる第１分離ゾーンと、
前記腰部開口部から前記脚部開口部の一方まで延びる第２分離ゾーンとを含む、請求項１〜６のいずれか一項に記載の吸収性物品。
【請求項８】
前記分離ゾーンは、１つ以上の構造的、図形的又は文章的要素を含む視覚的信号を含む、請求項１〜７のいずれか一項に記載の吸収性物品。
【請求項９】
前記分離ゾーンは結合部を含み、前記結合部は、超音波封止結合部、熱封止結合部、高圧結合部、高周波結合部、接着剤結合部、粘着剤結合部、縫い結合部、自溶結合部、及びこれらの組み合わせの１つである、請求項１〜８のいずれか一項に記載の吸収性物品。
【請求項１０】
少なくとも１つの第１締結構成要素を、複数の相互接続されたサイドパネルを含むウェブに取り付ける工程と、
少なくとも１つの第２締結構成要素を、複数の相互接続されたバックシートを含むウェブに取り付ける工程と、
横方向に対向する弾性サイドパネルの対を、前記バックシートの前記横方向に対向する側縁部で、又はこれに隣接するように、前記相互接続されたバックシートのウェブに取り付ける工程と、
バックシート、トップシート及び吸収性コアを組み合わせて吸収性収容アセンブリを形成する工程であって、前記吸収性コアは前記バックシートと前記トップシートとの間に配置される、工程と、
相互接続された吸収性物品の連続的なウェブを切断して、複数の別個の吸収性物品を形成する工程と、
前記別個の吸収性物品を横方向中心線の周囲で折り畳み、前側腰部区域の内面を、後側腰部区域の内面に接触させる工程と、
前記サイドパネルを横方向内側に折り畳み、前記第１締結構成要素を前記第２締結構成要素に接触させることにより、前記第１締結構成要素と前記第２締結構成要素を係合させて、再締結可能なパンツを形成する工程と、を含む、再締結可能なパンツの形態の吸収性物品を作製する方法。
【発明の詳細な説明】
【技術分野】
【０００１】
本開示は、一般的に、吸収性物品及びこれを製造するための方法に関連し、より具体的には、再締結可能な使い捨て吸収性物品及びこれを製造する方法に関連する。
【背景技術】
【０００２】
例えば、パンツ又はおむつなどの、多くの再締結可能なプルオン使い捨て吸収性物品は、締結構成要素が最初に係合している状態で消費者に提供されている。このような構造においては、例えば、第１及び第２締結具、又は第１締結具及び第２締結具が、最初に係合する場合、締結構成要素は、２つのサイドシーム、腰部開口部及び２つの脚部開口部を形成し得る。消費者は一般的に、パンツのサイドシームが容易に開放可能であり、確実に再締結可能であることを好む。最初に係合する締結構成要素は、低い初期開放力を提供するように設計される場合、サイドシームの再閉鎖後にも、低い、以降の開放力を有し得る。開かれ、再閉鎖されたサイドシーム（すなわち、締結具）のサイドシーム再開放力は、初期開放力よりも低い力を必要とする傾向がある。低い以降のサイドシーム開放力を有するパンツは、低いサイドシーム強度及び確実性のより低い閉鎖につながり得るがこれは、同じ締結具が初期の好ましくは低い開放力を提供するだけではなくまた、再締結後の十分なサイドシーム強度を提供しなくてはならないためである。
【発明の概要】
【発明が解決しようとする課題】
【０００３】
必要とされているのは、上記に対する改善である。
【課題を解決するための手段】
【０００４】
１つの非限定的な実施形態において、本開示は一部分において、前側腰部区域、後側腰部区域、前側腰部区域と後側腰部区域との間に配置される股部区域、前側腰部端縁部、後側腰部端縁部、前側腰部端縁部の中点から後側腰部端縁部の中点まで延びる長手方向軸、第１の長手方向に延びる側縁部、第２の長手方向に延びる側縁部、外面、内面、トップシート、バックシート、及びバックシートとトップシートとの間に配置される吸収性コアを含む、吸収性物品を対象とする。前側腰部区域の一部及び後側腰部区域の一部が、表面が向かい合う関係で接合されて、第１の恒久的な側縁部シーム及び横方向に対向する第２の恒久的な側縁部シームを含むパンツを形成する。第１及び第２の恒久的な側縁部シームは、初期腰部開口周辺部及び一対の脚部開口部を画定する。吸収性物品は、第１締結表面及び第１取り付け表面を含む第１締結構成要素を含む。第１取り付け表面は、吸収性物品の前側腰部区域の内面又は外面上に配置される。吸収性物品は、第２締結表面を含む第２締結構成要素を含む。第２締結構成要素は、第１取り付け表面がその上に配置される吸収性物品の表面と同じ表面の上に配置されるか、又はその一部を形成する。第１及び第２の恒久的な側縁部シームによって形成される、初期腰部開口周辺部は開かれるように構成される。第１締結表面及び第２締結表面は互いに再締結可能に係合され、かつ分離される。
【図面の簡単な説明】
【０００５】
添付の図面と関連してなされる本開示の非限定的な実施形態の以下の説明を参照すれば、本開示の上記の及び他の特徴と利点、並びにそれらを達成する方法がより明らかとなり、また本開示自体がより理解されよう。
【０００６】
図面及び書面による明細書において、参照番号に付した小文字はほぼ対称である要素を示し、例えば、左及び右の対称的な要素はそれぞれ、参照番号１ａ及び１ｂにより特定される場合がある。本明細書において特別に指定されない限り、小文字を付加されない参照番号は、この特定の参照番号を適用される要素の全てを同一として扱う。
【０００７】
様々な図における共通の要素は、単純化のために、全ての図において付番されないことがある。出願者は、補助のため、明細書及び明細書の他の図に依存する権利を有する。様々な図中の特定の要素を表すために共通の番号が使用され得るが、ある要素が共通の番号を有するにもかかわらず、この要素は別の実施形態であり得ることが理解される（すなわち、要素は同じである場合もあるが、同じ番号は必ずしも要素が同じであることを意味しない）。
【図１】非限定的な実施形態による、パンツに形成される前の、その平坦な非収縮状態で示される、単純化された吸収性物品の平面図。図１においては、吸収性物品の外面が観察者に面するように示されている。
【図２】１つの非限定的な実施形態により、線Ａ−Ａに沿って取った、図１の吸収性物品の断面図。
【図３】１つの非限定的な実施形態により、恒久的な側縁部シームによって接合される図１の吸収性物品から形成されたパンツの斜視図。
【図４】１つの非限定的な実施形態による、着用者の下部胴体の付近で着用されるパンツの正面図。
【図５】１つの非限定的な実施形態による、図４のパンツの背面図。
【図６】１つの非限定的な実施形態による、図４のパンツの左側面図。
【図７】１つの非限定的な実施形態による、図４のパンツの右側面図。
【図８】１つの非限定的な実施形態による、恒久的な側縁部シームによって接合されたパンツの斜視図。
【図９】平坦な非収縮状態で示され、１つの非限定的な実施形態によるフランジシームを含むパンツに形成されるように構成された、単純化した吸収性物品の平面図。
【図１０】１つの非限定的な実施形態によるパンツに部分的に形成された、図９の単純化した吸収性物品の平面図。
【図１１】１つの非限定的な実施形態によるパンツに形成された、図９の単純化した吸収性物品の平面図。
【図１２】１つの非限定的な実施形態により、分離ゾーンが分離した、図１１の単純化したパンツの平面図。
【図１３】１つの非限定的な実施形態による、平坦な、非収縮状態の、図１２の単純化したパンツの平面図。
【図１４】１つの非限定的な実施形態により、分離ゾーンが分離し、第１締結構成要素が、パンツの前側腰部区域の一部であるか、これと共に形成されるか、この上に配置されるか、又はその一部に取り付けられる、第２締結構成要素に再締結される、図１２の単純化したパンツの平面図。
【図１５】非限定的な実施形態による、フランジシームと共に形成されるパンツの平面図。
【図１６】非限定的な実施形態による、パンツに形成される前の、その平坦な非収縮状態で示される、単純化された吸収性物品の平面図。図１６においては、吸収性物品の外面が観察者に面するように示されている。
【図１７】１つの非限定的な実施形態により、線Ａ−Ａに沿って取った、図１６の吸収性物品の断面図。
【図１８】非限定的な実施形態による、パンツに形成される前の、その平坦な非収縮状態で示される、単純化された吸収性物品の平面図。図１８においては、吸収性物品の外面が観察者に面するように示されている。
【図１９】１つの非限定的な実施形態により、線Ａ−Ａに沿って取った、図１８の吸収性物品の断面図。
【図２０】１つの非限定的な実施形態により、線Ｂ−Ｂに沿って取った、図１の吸収性物品の断面図。
【図２１】１つの非限定的な実施形態による、フランジシームと共に形成されるパンツの平面図。
【図２２】分離ゾーンが分離し、閉鎖結合部が破断した、図２１のパンツの平面図。パンツの第１側部が外される一方で、パンツの第２側部がパンツの前側腰部区域に再締結されている。
【図２３】１つの非限定的な実施形態による、フランジシームと共に形成されるパンツの平面図。
【図２４】分離ゾーンが分離し、閉鎖結合部が破断した、図２３のパンツの平面図。パンツの第１側部が外される一方で、パンツの第２側部がパンツの前側腰部区域に再締結されている。
【図２５】非限定的な実施形態による、フランジシームと共に形成されるパンツの平面図。
【図２６】分離ゾーンが分離し、閉鎖結合部が破断した、図２５のパンツの平面図。パンツの第１側部が外される一方で、パンツの第２側部がパンツの前側腰部区域に再締結されている。
【図２７】１つの非限定的な実施形態による、パンツに形成される前の、その平坦な非収縮状態で示される、単純化された吸収性物品の平面図。図２７においては、吸収性物品の外面が観察者に面するように示されている。
【図２８】１つの非限定的な実施形態により、線Ａ−Ａに沿って取った、図２７の吸収性物品の断面図。
【図２９】１つの非限定的な実施形態により、線Ａ−Ａに沿って取った、図２７の吸収性物品の断面図。
【図３０】様々な非限定的な実施形態による、別のサイドパネル設計。
【図３１】１つの非限定的な実施形態による、フランジシームと共に形成されるパンツの平面図。
【図３２】１つの非限定的な実施形態による、パンツに形成される前の、その平坦な非収縮状態で示される、単純化した吸収性物品の平面図。図３２においては、吸収性物品の外面が観察者に面するように示されている。
【図３３】１つの非限定的な実施形態により、線Ａ−Ａに沿って取った、図３２の吸収性物品の断面図。
【図３４】１つの非限定的な実施形態により、線Ｂ−Ｂに沿って取った、図３２の吸収性物品の断面図。
【図３５】様々な非限定的な実施形態による、本開示の吸収性物品を作製するために使用される装置。
【発明を実施するための形態】
【０００８】
本明細書に開示される装置、及び方法の、構造、機能、製造、並びに使用の原理について、総合的な理解を提供するために、本開示の様々な非限定的な実施形態を以後記載する。これらの非限定的な実施形態の１つ以上の実施例を添付の図面に示す。本明細書で詳細に説明し、添付の図面に示される、装置、及び方法は、非限定的な例の実施形態であり、並びに、本開示の様々な非限定的な実施形態の範囲は、「特許請求の範囲」によってのみ定義されることが、当業者には理解されよう。１つの非限定的な実施形態に関して示される、又は述べられる特徴は、他の非限定的な実施形態の特徴と組み合わせてもよい。そのような修正及び変形は、本開示の範囲に含まれることが意図される。
【０００９】
本明細書において、次の用語は一般的に、次の意味を有する。
【００１０】
用語「吸収性物品」は、着用者の身体に接して、又は近接して設置され、身体から排泄された様々な排出物を吸収し、収容する装置を指す。代表的な吸収性物品は、おむつ、トレーニングパンツ、パンツ、プルオンパンツ型おむつ（すなわち、米国特許第６，１２０，４８７号などに例示される予備成形された腰部開口部及び脚部開口部を有するおむつ）、再締結可能なおむつ、失禁用ブリーフ及び下着、おむつホルダー及びライナー、女性用衛生衣類及び関連する物品を含み得る。
【００１１】
用語「締結構成要素」とは、再締結可能な取り付け領域を画定する締結要素を指す。締結構成要素は、締結構成要素が分離されるまで、腰部及び脚部開口部を閉じた構成へと再構成するために、吸収性物品を再締結することを可能にする。締結構成要素は、１つ以上の再締結可能な締結要素、例えば、フック、ループ、球状部、キノコ型、矢尻、茎部上のボール部、ボタン、スナップ、再締結可能な粘着剤、選択的に再締結可能な接着剤などを含む場合がある。締結構成要素は、締結構成要素を損傷することなく、開放し、かつその後に確実に再閉鎖することができる。締結構成要素は、再締結可能なクロージャを形成する、直接的な表面間接触により、取り付け領域を形成する、締結システムの要素を含む。明確性の目的のために、表面間接触は例えば、フック材料の表面と、ループ材料の表面との間の接触を含む。例えば、バックシートに接合されるタブ部材は、記載される締結材料には当たらない。締結構成要素は、タブに接合され、他の締結構成要素又は吸収性物品の一部と接続し得るフック又はループであってもよい。
【００１２】
用語「初期腰部開口周辺部」とは、使い捨てトレーニングパンツがパッケージ内に配置されるとき、及びその後、これが消費者によってパッケージから取り出されるときの、使い捨てトレーニングパンツの腰部開口部の周辺部を指す。
【００１３】
用語「横方向」は、吸収性物品の側部縁部から反対側の側部縁部まで、並びに長手方向に対してほぼ直角に通る方向を指す。横方向の±４５°以内の方向は「横方向」であると見なされる。
【００１４】
用語「長手方向」は、吸収性物品の腰部縁部から対向する腰部縁部まで走る、及び物品の最長直線寸法にほぼ平行である、方向を指す。長手方向の±４５°以内の方向は、「長手方向」であると見なされる。
【００１５】
用語「パンツ」（「使い捨てトレーニングパンツ」、「トレーニングパンツ」及び「プルオンパンツ型おむつ」）は、幼児、子供又は成人の着用者（以降、「着用者」）のために設計された、連続的な外辺部腰部開口部及び連続的な外辺部脚部開口部を有する、使い捨て吸収性物品を指す。パンツは、パンツが着用者に適用される前に、連続的な、すなわち閉じた腰部開口部と、少なくとも１つの連続的な、すなわち閉じた脚部開口部とを有する構成であることができる。パンツは、任意の再締結可能な及び／又は恒久的なクロージャ部材（例えば、シーム、熱結合、圧力、圧力溶接、接着剤、粘着結合、機械的締結具など）を使用して吸収性物品の部分を一緒に接合することが挙げられるがこれらに限定されない任意の好適な技術で予備成形され得る。パンツは、腰部区域におけるその周辺部に沿ったどの位置でも予備成形することができる（例えば、側部を締結する、前側腰部を締結する、後側腰部を締結する）。代表的なパンツ構成が米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、及び米国特許出願公開第２００３／０２３３０８２号に開示される。
【００１６】
用語「二次腰部開口周辺部」とは、初期腰部開口周辺部が破断され、パンツが再締結された後のパンツの腰部開口部の周辺部を指す。
【００１７】
用語「側縁部シーム」は、所定の側縁部を指し、前側腰部区域の側縁部又は側縁部に隣接した区域の一部分は、後側腰部区域の同じ側縁部又は側縁部に隣接した区域の一部に接合されて、閉じて取り囲まれた脚部開口部及び閉じた腰部開口部を規定する。側縁部シームは、恒久的なクロージャ部材で閉じられているため、恒久的クロージャ部材の破壊を伴わずに開くことができない（すなわち、恒久的クロージャ部材を再び確実に再閉鎖することができない）。
【００１８】
再締結可能なサイドシームパンツの全体的な機能を改善するために、初期開放力と、パンツの再締結又は再閉鎖の後の開放力を互いに独立させておくことが望ましい場合がある。換言すれば、初期腰部開口周辺部、及び第２腰部開口周辺部（最締結された）を作るために、別個のクロージャ又は締結部材が使用され得る。初期腰部開口周辺部が形成される際に、非係合配向において最初に配置される締結構成要素を有することは、一度パンツが再締結又は再閉鎖されると、初期腰部開口周辺部の初期開放力を、第２腰部開口周辺部の開放力から独立させる。締結構成要素が最初に係合していない場合、初期開放力は、締結構成要素と別個に制御され得る。
【００１９】
一実施形態において、初期開放力は、パンツ内に画定される分離ゾーンの強度の関数であり得る。初期開放力は、再締結後の後の開放力と別であるため、高い後の開放力が提供され、それによってサイドシームの再締結後に、より確実で安定したサイドシームクロージャを提供し得る。加えて、サイドシーム、腰部開口部及び脚部開口部を画定する構造的要素としてサイドシームを有するパンツは、より堅牢で確実なサイドシームを提供する傾向にある。一実施形態において、恒久的サイドシームは、例えば、熱結合及び／又は超音波結合などの結合を使用して形成され得るか、あるいは代替的に、接着剤、恒久的粘着剤若しくは他の好適な結合又はクロージャ装置を使用して形成され得る。
【００２０】
一実施形態において、各サイドシームの締結構成要素の両方（すなわち、第１締結構成要素及び第２締結構成要素）が、締結構成要素へのアクセスを改善するために、パンツの前側腰部区域内に配置又は形成され得る。第２締結構成要素は前側腰部区域上に単に配置されるか、又はその一分を形成してもよく、そこに第１締結構成要素が配置されることに留意する。前側腰部区域内に第１締結要素及び第２締結要素を配置することによって締結構成要素へのアクセスを改善することによって、介護者にとってパンツの開放及び再締結が大幅に容易になり、前側腰部区域同士の締結を可能にし、着用者が介護者の前に立っているとき（例えば、対面して）、又は着用者が仰向けに寝ているときに、介護者がパンツを交換する工程、又はパンツを点検する工程をより容易にすることがある。加えて、パンツ又はおむつの前側腰部区域の締結構成要素の締結はまた、これがテープ式おむつと似ているために、介護者にとって馴染み深いものである。
【００２１】
一実施形態において、締結構成要素の両方がまた、パンツの同じ表面上に配置され得る。一実施形態において、締結構成要素は両方とも、パンツの外面又は衣類に面する表面上に配置されるか、又はこれと共に形成されてもよく、それによって締結構成要素の両方が介護者にとって容易に認識可能になり、それによってパンツの交換又はパンツの点検を介護者にとってより早く、容易なものにする。
【００２２】
これらのプルオントレーニングパンツは、例えば、トイレのしつけの段階にある子供などの着用者にとって、特に望ましく、かつ有用な製品であることが証明されている。このようなパンツは一般的に、液体不透過性バックシート、液体透過性トップシート、及びトップシートとバックシートとの中間に位置付けられる吸収性コアを含む、吸収性シャーシを含む。吸収性シャーシ及びサイドパネル（存在する場合）は、初期腰部開口周辺部及び２つの初期脚部開口周辺部を形成するために予め閉じられていてもよい。
【００２３】
いくつかの部分は、恒久的なサイドシーム、又は一度破断したら再締結することができないシームを有し、脚部開口周辺部、及び腰部開口周辺部を形成する。このような恒久的なシームは一般的に、下着のように見え、下着のように適用され得る（すなわち、着用者の脚から、着用者腰部区域周辺の適所へと滑らせて上げる）パンツを提供するために、予め閉じられている。しかしながら、恒久的なサイドシームを有するパンツは、パンツの外面上に位置付けられる使い捨てテープ（パンツが包まれて処分され得るように）など、パンツ処分のための別個の要素を必用とする場合がある。他のパンツは、非恒久的なサイドシームを有し、かつ再締結可能であり、それによって従来的なテープ式おむつと同様に、介護者がパンツの腰部及び脚部開口部を開き、閉じることを可能にする。
【００２４】
パンツを開放及び再締結する能力は、介護者に利便性を提供する。例えば、外出時、又は着用者の衣類及び／若しくは靴を脱がせるのが難しいときは、従来的なテープ式おむつとしてパンツを適用する方がより便利である場合がある。着用者がいつ交換を必要とするか、したがっていつ特定の様式の適用が必要とされるかを予測することは困難であるため、従来的なテープ式おむつとして、又は使い捨てトレーニングパンツとしてのいずれかで適用されるように適合可能であるパンツを提供することが有益である。加えて、従来的なテープ式おむつ又は使い捨てトレーニングパンツのように適用され得る製品はまた、製品を着用者の脚の下に滑らせることを必要とせずに、製品の内側を点検することを可能にする。本開示のパンツは、適用及び取り外しに関する二重機能を提供する一方で、使用したパンツを容易に包み、処分することを可能にする。
【００２５】
上記に加え、いくつかの関連する技術のパンツは、着用者にとって、本開示のパンツよりも取り外しやすい場合がある。関連する技術のパンツにおいて、サイドシームの周囲でパンツを締結する２つの部分の重複は多くの場合において、望ましくないときに、着用者がパンツを取り外すために把持し、引っ張り得るフラップを形成する。フラップは一般的に腰部区域から脚部開口部に走っているため、その長さは、着用者が、着用者の器用さにかかわらず、パンツを容易に取り外すことを可能にする。更に、フラップのクロージャがトレーニングパンツの初期腰部開口周辺部を形成するために、一度開かれると、パンツは着用者から外れて落ちることがある。
【００２６】
関連する技術のパンツの問題のいくつかを緩和するために、本開示は、一部において、着用者に与えられるパンツを取り外す機会を最小化し、一方で依然として再締結可能な利便性を介護者に提供するパンツを教示する。本開示のパンツは、少なくともパンツの開口部及びクロージャシステムの位置のため、開くのに、より高い器用さを要求する開放及び再閉鎖システムを含む。一実施形態において、パンツは１つ以上の恒久的なサイドシームを含む場合があり、これらは吸収性物品を、予め閉じられた腰部及び脚部開口部、並びにパンツの再閉鎖及び／又は処分を容易にする締結構成要素を有するパンツへと形成する。一実施形態において、開口部及び再閉鎖システムは、クロージャ部材が着用者にはっきり見えないように配置されてもよい。更に、着用者が再締結可能なクロージャシステムの締結構成要素を開く場合、締結構成要素がそれらの初期係合位置において初期腰部開口周辺部及び脚部開口周辺部を形成しないために、パンツは落ちない。結果として、本開示のパンツは、介護者が、どのようにパンツが着用者に適用されるか（パンツとして、又は従来的なテープ式おむつとして）を決定することを可能にする。更に、介護者は、パンツが着用者によって容易に取り外され得ない、追加的な安全性を享受する。したがって、従来のテープ式おむつ又はパンツとして適用するための可撓性、及び下着の審美性及び外観を有するパンツを作製することにより、着用者及び介護者のための最善の全体的経験を提供する。
【００２７】
本開示の様々な代表的なパンツを形成するために使用される様々な構成要素が、ここでより詳細に記載される。
【００２８】
吸収性物品
一実施形態において、吸収性物品は、トップシート、バックシート、及びトップシートとバックシートとの間に少なくとも一部が配置される吸収性コアを含む吸収性シャーシを含み得る。シャーシはウエストバンド、レッグカフ及び／又は弾性ストランドを含み得る。様々な実施形態において、図１及び図２を参照し、代表的な吸収性物品１０が、パンツに形成される前の、その平坦な非収縮状態で示される。吸収性物品１０は、例えば、図３及び図８に示されるパンツ２０に形成され得る。パンツ２０の様々な好適な構成は、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、並びに米国特許出願公開第２００３／０２３３０８２号、同２００３／００８８２２０号、同２００３／０２３３０８２号、同２００５／０２１５９７１号、同２００５／０２１５９７０号、同２００７／００７８４２７号、同２００７／００９３７６９号、同２００７／００７４３８１号、同２００７／００７８４２６号、同２００７／００７８４２７号、同２００７／００９３７６９号、及び同２００８／０１０７８６１号に開示される。
【００２９】
一実施形態において、図１及び図２を参照し、吸収性物品１０の一方の端部が前側腰部区域３６として構成されてもよく、長手方向に対向する端部は後側腰部区域３８として構成され得る。前側腰部区域３６と後側腰部区域３８との間で長手方向に延びる吸収性物品１０の中間的な部分は、股部区域３７として構成され得る。一実施形態において、そのようなものとして例示されていないが、前側腰部区域３６、後側腰部区域３８及び股部区域３７のそれぞれの長さは、例えば、吸収性物品１０の長さの約１／３であり得る。他の実施形態において、前側腰部区域３６、後側腰部区域３８、及び股部区域３７のそれぞれの長さは、例えば、他の寸法を有し得る。様々な実施形態において、吸収性物品１０は、前側腰部区域３６で横方向に延びる前側腰部端縁部１３６、及び長手方向に対向し、後側腰部区域３８で横方向に延びる後側腰部端縁部１３８を有し得る。
【００３０】
一実施形態において、更に図１及び図２を参照し、吸収性物品１０のシャーシ１００は、第１の長手方向に延びる側縁部１３７ａ、及び横方向に対向し、第２の長手方向に延びる側縁部１３７ｂを含み得る。側縁部１３７は、前側腰部端縁部１３６と後側腰部端縁部１３８との間で長手方向に延びることがある。シャーシ１００は、前側腰部区域３６内で横方向に延びる前側腰部端縁部１３６の一部と、長手方向に対向し、後側腰部区域３８内で横方向に延びる後側腰部端縁部１３８の一部とを形成し得る。更に、シャーシ１００は、内面１０２、外面１０４、長手方向軸４２、及び横方向軸４４を含み得る。長手方向軸４２は、前側腰部端縁部１３６の中点を通じ、かつ後側腰部端縁部１３８の中点を通じて延びてもよく、一方で横方向軸４４は、第１側縁部１３７ａの中点を通じ、かつ第２側縁部１３７ｂの中点を通じて延びてもよい。
【００３１】
様々な実施形態において、全体的な吸収性物品１０の一部又は全部が、横方向に延伸性であるようにされてもよい。吸収性物品１０の延伸性は、着用者の運動中に、吸収性物品１０が着用者の身体にぴったりと一致することを可能にするために、望ましいことがある。異なる大きさの着用者に追加的な身体適用範囲を提供するため、すなわち、吸収性物品１０を個別の着用者に調節するために、介護者が前側腰部区域３６、後側腰部区域３８、股部区域３７、及び／又はシャーシ１００を延ばすことを可能にするために、延伸性は望ましい場合がある。このような延伸は、股部区域３７が腰部区域３６及び／又は３８よりも比較的低い度合いで延伸される限りにおいて、ほぼ砂時計型の形状を有する吸収性物品１０を提供し得る。この延伸はまた、使用中に吸収性物品１０に調整された外観を付与し得る。
【００３２】
トップシート
一実施形態において、再び図１及び図２を参照し、吸収性物品１０は、トップシート８１を含み得る。トップシート８１は、柔軟であり、柔らかな感触であり、着用者の皮膚に刺激を与えないものであってもよく、かつ１つ以上の方向において、弾性的に伸縮性であってもよい。更にトップシート８１は、液体透過性であってもよく、液体（経血、尿、及び／又は液状の糞便など）を、その厚みを通して容易に浸透させる。様々なトップシートがまた、例えば、親水性材料を含んでもよく、これは体液を、これらが身体から排出される際にシャーシ１００の吸収性コア内に引くように構成される。好適なトップシート８１は、広範な材料、例えば、織布及び不織布材料、有孔若しくはハイドロフォーミングされた熱可塑性フィルム、有孔不織布、多孔質フォーム、網目状フォーム、網目状熱可塑性フィルム、及び／又は熱可塑性スクリムから製造され得る。好適な有孔フィルムは、米国特許第５，６２８，０９７号、同第５，９１６，６６１号、同第６，５４５，１９７号、及び同第６，１０７，５３９号に記載されるものを含む。有孔フィルムトップシートは典型的には、身体滲出物に対して透過性であるが、非吸収性であり、流体を通過して戻らせ、着用者の皮膚を濡らさせる傾向を低減する場合がある。好適な織布及び不織布材料は、天然繊維、例えば、木質繊維若しくは綿繊維、合成繊維、例えば、ポリエステル、ポリプロピレン若しくはポリエチレン繊維、又はこれらの組み合わせを含み得る。トップシート８１が繊維を含む場合、当該技術分野において一般的に既知であるとおり、繊維は例えば、スパンボンド、カード、ウェットレイド、メルトブローン、水流交絡、ないしは別の方法で処理されてもよい。
【００３３】
バックシート
一実施形態において、図３及び図８を参照し、例えば、吸収性物品１０は、バックシート８３を含み得る。図３及び図８において、吸収性物品１０は、パンツ２０に形成されているものとして示される。バックシート８３は、液体又は身体滲出物（例えば、経血、尿及び／又は液状の糞便）に対して不透過性、又は少なくとも部分的に不透過性であってもよく、かつ薄いプラスチックフィルムから製造されてもよいが、他の可撓性の液体不透過性材料もまた使用され得る。バックシート８３は、パンツ２０に形成される場合に、吸収性物品１０の吸収性コアに吸収及び収容される身体滲出物又は流体が、吸収性物品１０に接触する物品（例えば、ベッドシート、パジャマ、衣類、及び／又は下着）を濡らすことを防ぐ。バックシート８３は、織布若しくは不織布材料、ポリマーフィjルム、例えば、ポリエチレン若しくはポリプロピレンの熱可塑性フィルムなどのポリマーフィルム、並びに／又はフィルム及び不織布材料を含む多層若しくは複合材料（例えば、内側フィルム層及び外側不織布層を有する）を含んでもよい。好適なバックシートは、約０．０１２ｍｍ（０．５ｍｉｌ）〜約０．０５１ｍｍ（２．０ｍｉｌ）の厚さを有するポリエチレンフィルムを含み得る。ポリエチレンフィルムの例としては、Ｃｉｎｃｉｎｎａｔｉ，Ｏｈｉｏ所在のＣｌｏｐａｙ  ＣｏｒｐｏｒａｔｉｏｎによってＢＲ−１２０及びＢＲ−１２１の製品名にて、及びＴｅｒｒｅ  Ｈａｕｔｅ，Ｉｎｄ．所在のＴｒｅｄｅｇａｒ  Ｆｉｌｍ  ＰｒｏｄｕｃｔｓによってＸＰ−３９３８５の製品名にて製造されるものがある。一実施形態において、バックシート８３は、より布様の外観を提供するために、エンボス加工及び／又はつや消し仕上げされてもよい。更に、バックシート８３は、吸収性物品１０の吸収性コアから蒸気を逃す（すなわち、バックシート８３は通気性である）一方で、依然として流体又は身体滲出物がバックシート８３を通過することを防ぐか、又は少なくとも阻止する。一実施形態において、バックシート８３の大きさは、例えば、吸収性物品１０の大きさ、及び形成されるパンツ２０の設計又は構成によって決定され得る。
【００３４】
吸収性コア
様々な実施形態において、図１を参照し、吸収性物品１０は、トップシート８１とバックシート８３との間に配置される吸収性コア２００を含み得る。吸収性コア２００は、前側腰部区域３６において横方向に延びる前縁部２３６、長手方向に対向し後側腰部区域３８において横方向に延びる後縁部２３８、第１の長手方向に延びる側縁部２３７ａ、及び横方向に対向し、第２の長手方向に延びる側縁部２３７ｂを含み得る。側縁部２３７の両方は、前縁部２３６と後縁部２３８との間で長手方向に延び得る。一実施形態において、例えば、２つ以上の吸収性コア２００、又は２つ以上の吸収性コア層が、吸収性物品１０に提供され得る。吸収性コア２００は、吸収性物品１０と適合可能な任意の好適な大きさ又は形状であり得る。広く受け入れられ、商業的に成功した、本開示の吸収性コア２００として使用される代表的な吸収性構造体が、米国特許第４，６１０，６７８号、同第４，６７３，４０２号、同第４，８８８，２３１号及び同第４，８３４，７３５号に記載されている。
【００３５】
一実施形態において、好適な吸収性コアは、セルロース系エアフェルト材料を含み得る。例えば、このような吸収性コアは、約４０重量％、３０重量％、２０重量％、１０重量％、５重量％又は更に１重量％未満のセルロース系エアフェルト材料を含み得る。追加的に、このような吸収性コアは主に、少なくとも６０重量％、７０重量％、８０重量％、８５重量％、９０重量％、９５重量％又は更に約１００重量％の量の吸収性ゲル化材料を含み得る。更に、吸収性コアの一部が、マイクロ繊維接着剤を含み得る（適用可能である場合）。吸収性コア、マイクロ繊維接着剤、及び吸収性ゲル化材料が、米国特許第５，５９９，３３５号、第５，５６２，６４６号、第５，６６９，８９４号、第６，７９０，７９８号、及び第７，５２１，５８７号及び米国特許出願公開第２００４／０１５８２１２号に記載される。
【００３６】
レッグカフ
一実施形態において、図１及び図２を参照し、吸収性物品１０のシャーシ１００は、長手方向に延び、横方向に対向するレッグカフ１４７ａ及び１４７ｂを含んでもよく、これらは、着用者の方へと内側に向かい、着用者と接触するシャーシ１００の内面上に配置される。レッグカフ１４７は、レッグカフ１４７の一方又は両方の近位縁部、又はこれに隣接するように配置される１つ以上の弾性ギャザー部材１５９を含み得る。弾性ギャザー部材１５９に加え、レッグカフは、レッグカフ１４７の一方又は両方の遠位縁部１３９、又はこれに隣接するように配置される１つ以上の弾性ストランド１６８を含み得る。伸縮性レッグカフ１４７は、脚部区域における身体滲出物又は流体の漏れを低減するためのいくつかの実施形態を含み得る。伸縮性レッグカフ１４７は、場合により、レッグバンド、バリアカフ、弾性カフ又はガスケッティングカフと称される。好適な伸縮性レッグカフ１４７は、米国特許第３，８６０，００３号、同第４，９０９，８０３号、同第４，６９５，２７８号、同第４，７９５，４５４号、同第４，７０４，１１５号、及び同第４，９０９，８０３号、並びに米国特許出願公開第２００９／０３１２７３０号に記載されるものを含み得る。レッグカフ１４７はシャーシ１００の一部を横方向に内側へ、すなわち、長手方向軸４２に向かって折り畳むことにより形成され、シャーシ１００のそれぞれのレッグカフ１４７及び側縁部１３７を形成してよい。他の実施形態において、レッグカフ１４７は、追加的な層を、シャーシ１００に、シャーシ１００の各側縁部１３７ａ及び１３７ｂのそれぞれにおいて、又はこれらに隣接するようにして取り付けることによって形成され得る。一実施形態において、シャーシ１００はまた、側縁部１３７に隣接するように配置される他の弾性部材１４１を含んでもよく、これは、弛緩させられ、それによってパンツ２０は、前側腰部区域３６の内面１０２を後側腰部区域３８の内面１０２の方に引っ張る際に、「Ｕ」字型の形状を形成する。
【００３７】
一実施形態において、図１及び図２を再び参照し、各レッグカフ１４７は、近位縁部１５７ａ及び１５７ｂを含み得る。これらの縁部１５７ａ及び１５７ｂは、遠位縁部１３９ａ及び１３９ｂと比較して、長手方向軸４２の付近に位置付けられる。レッグカフ１４７は、吸収性コア２００と重複してもよく、すなわち、近位縁部１５７ａ及び１５７ｂは、吸収性コア２００の各側縁部２３７ａ及び２３７ｂの横方向内側に位置する。このような重なり合った構成は、重なり合わない形体で付与される外観よりも完成品に近い外観を吸収性物品１０に付与するために望ましいことがある。他の実施形態において、レッグカフ１４７は、吸収性コア２００と重複しない場合がある。
【００３８】
一実施形態において、更に図１及び図２を参照し、各レッグカフ１４７は、前側腰部端縁部１３６に隣接するレッグカフ取り付けゾーン（図示されない）、及び長手方向に対向し、後側腰部端縁部１３８に隣接するレッグカフ取り付けゾーン（図示されない）において、シャーシ１００の内面１０２に取り付けられてもよい。一実施形態において、レッグカフ取り付けゾーンの間においては、レッグカフ１４７の近位縁部１５７は自由である（すなわち、シャーシ１００の内面１０２又は吸収性コア２００に取り付けられない）。また、長手方向に対向するレッグカフ取り付けゾーンの間において、各レッグカフ１４７は、１つ以上の（特に、レッグカフ１４７それぞれについて１つ、２つ、３つ又は４つの弾性ストランドを含む）長手方向に伸縮性カフ弾性ギャザー部材１５９を含んでもよく、これらは、任意の好適な方法により、レッグカフ１４７の近位縁部１５７に、又はこれと隣接するように配置され得る。このようなカフ弾性ギャザー部材１５９それぞれが、レッグカフの全長にわたって、又はレッグカフの長さの一部のみにわたって取り付けられてもよい。例えば、このようなカフ弾性ギャザー部材１５９は、レッグカフの長手方向に対向する端部において、又はその付近で取り付けられてもよく、かつレッグカフ長さの中央において取り付けられていなくてもよい。そのようなカフ弾性ギャザー部材１５９は、股部区域３７に配置されてもよく、また前側腰部区域３６及び後側腰部区域３８の一方又は両方の中まで延びてもよい。例えば、図２に示される代表的なシャーシ１００において、弾性ギャザー部材１５９は、各レッグカフ１４７の近位縁部１５７で、又はこれに近接するように取り付けられてもよく、前側腰部区域３６及び後側腰部区域３８の両方まで延びる。
【００３９】
様々な実施形態において、各カフ弾性ギャザー部材１５９は、例えば、折りたたまれたヘム１７０の内側に包囲される。様々な実施形態において、カフ弾性ギャザー部材１５９は、レッグカフ１４７を形成する２つの層の間に、シャーシ１００の２つの層によって挟持されてもよく、又はシャーシ１００、又はレッグカフ１４７の表面上に取り付けられて、露出されたままであってもよい。
【００４０】
一実施形態において、伸張されるとき、各レッグカフの近位縁部１５７に隣接するように配置されるカフ弾性ギャザー部材１５９は、レッグカフ近位縁部１５７が、シャーシ１００の平坦な非収縮長さ（例えば、図１に示されるシャーシ１００の長さ）まで延びることを可能にする。弛緩させられるとき、カフ弾性ギャザー部材１５９は収縮して前側腰部区域３６及び後側腰部区域３８を互いに向かって引き、それによってパンツ２０を「Ｕ」字型に曲げ、ここで「Ｕ」字型の内側は、着用者の身体の方に配置されるように意図されるパンツ２０の部分によって形成され得る（すなわち、内側表面１０２）。近位縁部１５７のそれぞれは、長手方向に配置されるレッグカフ取り付けゾーンの間において自由なままであるため、弾性ギャザー部材１５９の収縮力は、レッグカフ１４７の近位縁部１５７を、シャーシ１００の内側表面１０２から離すようにして持ち上げる場合がある。パンツ２０が弛緩状態にあるときのこの近位縁部１５７の上昇は、レッグカフ１４７を、身体滲出物の漏れを防ぐか、又は少なくとも阻止するように機能するために、適所に持ち上げる。
【００４１】
一実施形態において、図２を参照し、１つ以上の（特に、レッグカフ１４７それぞれにつき、１つ、２つ、３つ又は４つの弾性ストランド）弾性ストランド１６８ａ及び１６８ｂは、シャーシ１００の側縁部１３７ａ及び１３７ｂ、又はレッグカフ１４７のシャーシ１００又は遠位縁部１３９に、又はこれらに近接するようにして取り付けられてもよい。弛緩させられる際に、弾性ストランド１６８ａ及び１６８ｂは、シャーシ１００の側縁部１３７ａ及び１３７ｂ、及び／又はレッグカフ１４７の遠位縁部１３９を寄せてサイドバリアを形成し、身体滲出物（例えば、血液及び糞便）に対する第２バリアとして機能してもよい。
【００４２】
様々な実施形態において、レッグカフ１４７は、カフフラップ６３１及びサイドバリア６３３に形成され得る。特に、サイドバリア取り付けゾーン６３０は、弾性ギャザー部材１５９と弾性ストランド１６８との間に配置され得る。サイドバリア取り付けゾーン６３０ａ及び６３０ｂの、長手方向軸４２に対する配置は、カフフラップ６３１ａ及び６３１ｂの深さ、並びにサイドバリア６３３ａ及び６３３ｂの大きさに、直接的及び連結効果を有する。例えば、図２によって例示されるように、サイドバリア取り付けゾーン６３０が横方向内側に移動するとき、カフフラップ６３１の深さは減少し得、サイドバリア６３３の大きさは増加し得る。逆に、サイドバリア取り付けゾーン６３０が横方向外側に動かされると、カフフラップ６３１の深さが増加し得、サイドバリア６３３の大きさは減少し得る。カフフラップ６３１及びサイドバリア６３３の深さ及び／又は寸法は、様々な用途に調整されて、向上した機能性を提供することができる。このような実施形態の１つでは、カフフラップ６３１の深さが減少し、サイドバリア６３３が増大することで、プルオンパンツ型の適用において、より良い良好な適用の容易性が提供されることが見出された。この構成によって、脚部開口部の大きさが増加してもよく、着用者がおむつ２０に脚を入れるのがより容易となる。更に別の実施形態では、カフフラップ６３１の深さが増加し、サイドバリア６３３の大きさが減少することで、改善された漏れ防止及び容量の更なる認識を提供し得る。
【００４３】
追加的な層を、シャーシ１００の各側縁部１３７ａ及び１３７ｂのそれぞれにおいて、又はこれらに隣接するようにしてシャーシ１００に取り付けることによって、レッグカフ１４７が形成される実施形態において、１つ以上の弾性ストランド１６８ａ及び１６８ｂは、層間（例えば、バックシート８３及びレッグカフ１４７を形成する層）で取り付けられてもよい。
【００４４】
ウエストバンド
一実施形態において、図３及び図８を参照し、吸収性物品１０から形成されるパンツ２０は、伸縮性ウエストバンド８２を含み得る。
【００４５】
一実施形態において、伸縮性ウエストバンド８２は、改善されたフィット及び収容性を提供してもよく、かつ弾性的に拡張し、横方向に収縮して着用者の腰部に動的にフィットするように構成されてもよい。伸縮性ウエストバンド８２は、パンツ２０の腰縁部から、吸収性コア２００の腰縁部に向かって長手方向内側に延びる場合がある。一実施形態において、パンツ２０は、２つの伸縮性ウエストバンド８２を有してもよく、一方が後側腰部区域３８内に位置付けられ、他方が前側腰部区域３６内に位置付けられるが、他のパンツ実施形態は、単一の伸縮性ウエストバンド８２で構成され得る。弾性腰部バンド８２は、米国特許第４，５１５，５９５号及び同第５，１５１，０９２号に記載されるものを含む、多くの異なる構成で作製され得る。
【００４６】
一実施形態において、伸縮性ウエストバンド８２は、「予め歪ませた」又は「機械的に予め歪ませた」（すなわち、一定程度の局部的パターンの機械的伸張に供し、材料を恒久的に伸長させる）材料を含んでもよい。材料は、好適な深いエンボス加工技術を使用して予め歪ませてもよい。他の実施形態において、材料は、米国特許第５，３３０，４５８号に記載される漸増機械的伸長システムによって材料を方向付けることによって予め歪ませてもよい。材料は、その後、それらの実質的に張力がない状態まで戻されてもよく、したがって、少なくとも最初の伸張点まで延伸性がある、ゼロ歪みの伸張材料が形成される。ゼロ歪み材料の例が、米国特許第２，０７５，１８９号、同第３，０２５，１９９号、同第４，１０７，３６４号、同第４，２０９，５６３号、同第４，８３４，７４１号、及び同第５，１５１，０９２号に開示されている。
【００４７】
サイドパネル
一実施形態において、図１及び図２を参照し、吸収性物品１０は、前側腰部区域３６及び／又は後側腰部区域３８の一方又は両方において、シャーシ１００の側縁部１３７で、又はこれに隣接するように、サイドパネル１８９を含んでもよい。様々な実施形態において、各サイドパネル１８９はシャーシ１００に取り付けられた区別可能な別個の要素であるか、又はシャーシ１００の要素（例えば、バックシート、トップシート、又はレッグカフ）から分割若しくは断絶されていない材料の一体型の部品を含み得るかのいずれかであり得る。様々な実施形態において、一対の横方向に対向するサイドパネル１８９は、前側腰部区域３６内にシャーシ１００の横方向に対向する側縁部１３７ａ及び１３７ｂに隣接するように取り付けられてもよく、長手方向に対向するサイドパネル１８９の対は、後側腰部区域３８内にシャーシ１００の横方向に対向する側縁部１３７ａ及び１３７ｂに、又はこれらに隣接するように取り付けられてもよい。前側腰部区域３６のサイドパネル１８９は、シャーシ１００の側縁部１３７から各サイドパネル１８９の遠位縁部１３７ａ及び１３７ｂまで、後側腰部区域３８の長手方向に対向するサイドパネル１８９と、同じ横方向範囲を有してもよく、あるいは、前側腰部区域３６内に配置されるサイドパネル１８９は、シャーシ１００の側縁部１３７からサイドパネル１８９の遠位縁部（また、１３７ａ及び１３７ｂとも称される）まで測定する際に、後側腰部区域３８に配置されるサイドパネル１８９と異なる横方向範囲を有してもよい。サイドパネル１８９が存在する際、サイドパネル１８９の遠位縁部１３７は、側縁部１３７又は吸収性物品１０の一部を形成する。様々な実施形態において、サイドパネル１８９は、第１不織布材料層１９１、弾性フィルム層１９３、及び第２不織布材料層１９５を含み得る。フィルム層１９３は、第１不織布材料層１９１と第２不織布材料層１９５の中間、又は少なくとも一部を中間に配置することができる。
【００４８】
一実施形態において、サイドパネル１８９は実質的に矩形の形状であってもよく、又は二次腰部開口周辺部６１を形成するために開放及び再締結することを容易にするために、一体的なタブを提供するような形状であってもよい。サイドパネル１８９は、例えば、横方向及び／又は長手方向に延伸性であるか、又は弾性的に延伸可能であってもよい。様々な実施形態において、サイドパネル１８９は、弾性フィルム、例えば、不織布又はフィルム及び不織布の組み合わせなどを含んでもよい。一実施形態において、サイドパネル１８９はまた、例えば、複数のストランド様フィラメント及び不織布材料を含んでもよい。ストランド様フィラメントは、例えば、少なくとも横方向に弾性的に延伸可能であり得る。好適な弾性サイドパネル、及びこのようなサイドパネルを含む吸収性物品は、米国特許第５，６６９，８９７号、同第５，８９９，８９５号、同第４，９４０，４６４号、同第５，２４６，４３３号、同第５，５４５，１５８号、同第５，５９１，１５５号、同第５，８９７，５４５号に開示されている。
【００４９】
側縁部シーム
一実施形態において、図３及び図８を参照し、吸収性物品１０の前側腰部区域３６及び後側腰部区域３８が一緒に接合されて、初期腰部開口周辺部６０及び２つの脚部開口周辺部６２を有するパンツ２０を形成し得る。前側腰部区域３６と後側腰部区域３８の接合は、側縁部シーム５１ａ及び５１ｂを含み得る。このような側縁部シーム５１は、前側腰部区域３６及び後側腰部区域３８が、前側腰部区域３６の内面１０２が、後側腰部区域３８の内面１０２と向い合う関係で面するように接合される部分において形成され得る（例えば、いわゆるフランジシーム取り付け）。このような側縁部シーム５１は、例えば、図３及び図８に示される。
【００５０】
横方向に対向する側縁部シーム５１は、初期腰部開口周辺部６０から外側へ横方向に延び得るが、それによってこれらはそれぞれ、フランジ型の恒久的な側縁部シーム５１を形成し、これは横方向内側に、パンツ２０の前側腰部区域３６及び／又は後側腰部区域３８のいずれかに向かって折り畳まれ得る。側縁部シーム５１の両方は予め閉じていてもよく、これは、側縁部シーム５１が、パンツ２０をそのパッケージから取り出す前、つまり着用者が着用する前に閉じていることを意味する。初期腰部開口周辺部６０及び脚部開口周辺部６２は、本明細書において以下でより詳細に記載されるように、所定の分離ゾーン５９で開いてもよい。一実施形態において、一度破断すると、側縁部シーム５１は、再び閉じて第１締結構成要素５３を使用せずに、二次腰部開口周辺部及び二次脚部開口周辺部を形成することができなくなることがある。
【００５１】
一実施形態において、側縁部シーム５１の結合部は、パンツ２０の構成において使用される特定の材料のために適切な恒久的な好適な結合部を含み得る。好適な結合部の種類は、別個の結合、例えば、超音波封止結合部、熱封止結合部、高圧結合部、高周波結合部、接着剤又は粘着剤結合部、縫い結合部、自溶結合部、及びこれらの組み合わせなどを含み得る。様々な実施形態において、恒久的な側縁部シーム５１は、パンツ２０の適用及び着用の間に、側縁部シーム５１に作用する力及び応力に耐えることができる、所定のパターンの熱／圧力、又は超音波溶接によって接合され得る。恒久的な側縁部シーム５１は、米国特許第５，７７９，８３１号、同第５，７７２，８２５号、同第５，６０７，５３７号、同第５，６２２，５８９号、同第５，６６２，６３８号、同第６，０４２，６７３号、及び同第６，７２６，７９２号に開示されるように形成され得る。上記の特許はまた、パンツを製造をするための様々な処理方法を開示する。
【００５２】
再締結可能な部材
一実施形態において、図１〜８を参照し、本開示のパンツ２０は、初期腰部開口周辺部６０及び脚部開口部６２を形成し得る側縁部シーム５１（例えば、恒久的な結合）と、側縁部シーム５１に、又はこれに隣接するように配置される第１締結構成要素５３と、第１締結構成要素５３と長手方向軸４２との間に画定される領域内に配置される第２締結構成要素５５とを含み得る。第１締結構成要素５３及び第２締結構成要素５５は、パンツ２０の同じ表面上（すなわち、外面１０４又は内面１０２）、及び／又はパンツ２０の同じ腰部区域（すなわち、前側腰部区域３６又は後側腰部区域３８）に配置され得る。一実施形態において、分離ゾーン５９ａは、第１締結構成要素５３ａと同じ腰部区域、及び／又は第２締結構成要素５５と同じ腰部区域内に配置され得る。一実施形態において、第２締結構成要素５５は、特定の別個の要素でなくてもよく、パンツ２０を形成する層の１つの一部、例えばバックシート８３の一部によって形成され得る。このような実施形態において、第２締結構成要素５５は、第１締結構成要素５３が配置される同じ表面の上に配置されるか、又はその一分を形成し得る。一実施形態において、第１締結構成要素５３及び第２締結構成要素５５は、包装されるとき（すなわち、使用前）に、接触しておらず及び／又は互いに取り付け若しくは係合されていない。
【００５３】
一実施形態において、第１締結構成要素５３、及び／又は第２締結構成要素５５は、それぞれ締結表面及び取り付け表面の少なくとも一方を含み得る。締結表面は、例えば、締結具、締結装置及び／又は締結組成物を含み得る。締結表面は、締結構成要素を、別の締結構成要素の締結表面に、又は吸収性物品１０若しくはパンツ２０の別の部分に取り付けるために使用され得る。取り付け表面は、第１締結構成要素５３、及び／又は第２締結構成要素５５を、例えば、シャーシ１００、前側腰部区域３６の一部、又は吸収性物品１０の別の部分に取り付けるために使用され得る。一実施形態において、第２締結構成要素５５は取り付け表面を含まないことがあり、これは前側腰部区域３６と共に一体的に形成され得るか、又はその一部であり得る。このような実施形態において、第２締結構成要素５５は、これが第１締結構成要素５３に取り付けられ得るように、依然として締結表面を含む。
【００５４】
一実施形態において、第１締結構成要素５３、及び第２締結構成要素５５は、前側腰部区域３６の吸収性物品１０の外面１０４上に配置され得る。吸収性物品１０がサイドパネル１８９を含む別の実施形態において、第１締結構成要素５３及び第２締結構成要素５５は、前側腰部区域３６のサイドパネル１８９の内面又は外面の一方の上に配置されるか、又はその一部を形成し得る。
【００５５】
様々な実施形態において、締結構成要素５３及び５５のそれぞれは、前側腰部区域３６においてパンツ２０に直接的に、又は間接的に、恒久的に結合されるか、共に形成されるか、又は接着されるかないしは別の方法で接合され得る。締結構成要素５３及び５５の１つ以上が、任意の好適な方法、例えば接着剤結合、超音波結合、圧力結合、熱結合又はこれらの組み合わせにより、パンツ２０の側縁部１３７の、又はその近位の位置において、恒久的に結合又は接合され得る。
【００５６】
一実施形態において、第１締結構成要素５３及び／又は第２締結構成要素５５は、好適な取り外し可能に係合可能な締結具で作製され得る。例えば、第１締結構成要素５３及び第２締結構成要素５５は、機械的締結具、例えば、フックアンドループ締結具、機械的締結具、マクロ締結具、ボタン、スナップ、タブ及びスロット締結具、テープ締結具、接着剤締結具、粘着剤締結具、磁気締結具、両性型（hermaphrodidic）締結具、並びに他の好適な締結具を含み得る。締結システム及び／又は締結構成要素５３、５５のいくつかの好適な例は、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号、同第６，２５１，０９７号、同第６，６６９，６１８号、同第６，４３２，０９８号、同第７，１０１，３５９号、及び同７，４０７，４６８号に記載される。
【００５７】
非係合ゾーン
一実施形態において、図１及び図２を参照し、例えば、吸収性物品１０は、第１締結構成要素５３と同じ表面及び同じ腰部区域の上に配置されるか、又はその一部を形成する、１つ以上の非係合ゾーン５４を含み得る。様々な実施形態において、包装される際に、非係合ゾーン５４は、第１係合構成要素５３が吸収性物品１０の他の要素と係合することを防ぐか、又は少なくとも阻止するように意図され得る。いくつかの実施形態において、非係合ゾーン５４は、パンツ２０が包装される際に、第１締結構成要素５３の締結表面と表面間接触している場合がある。一実施形態において、非係合ゾーン５４は、図１及び図２に示されるように、第１締結構成要素５３の横方向内側に配置され得る。非係合ゾーン５４は、恒久的な側縁部シーム５１に配置されるか、又はこれと隣接するように配置され得る。様々な実施形態において、非係合ゾーン５４は、フィルム、シート、コーティング又は第１締結構成要素５３に取り付けられるか、又はこれと係合する別の材料を含み得る。好適な非係合ゾーン材料は、ポリエチレン又はポリプロピレンのフィルム、Ｔｅｆｌｏｎ、ラテックス、非粘着性接着剤、選択的接着剤、粘着剤及び第１締結構成要素５３と係合しない他の材料であり得る。
【００５８】
別個のゾーン
着用者からの取り外しのために、所定の位置において、パンツ２０を引き裂いて開くか分離するために必要な張力のレベルを最小化するため、分離ゾーン５９は、側縁部シーム５１に、又はその近位に提供され得る。分離ゾーン５９は、例えば、図１〜３及び５〜８に示されるように、第１締結構成要素５３及び第２締結構成要素５５と同じ腰部区域において、パンツ２０の無損傷の初期腰部開口周辺部６０に位置し得る。実施形態において、分離ゾーン５９の一部は、第１締結構成要素５３の横方向内側に配置され得る。第１締結構成要素５３及び第２締結構成要素５５を含む実施形態においては、分離ゾーン５９の一部は、第１締結構成要素５３と第２締結構成要素５５との間に配置されてもよく、第１締結構成要素５３及び第２締結構成要素５５と同じ腰部区域内に配置され得る。
【００５９】
一実施形態において、分離ゾーン５９は、所望の機能性、並びに適用及び締結の容易性を提供する、いずれかの方法でパンツ２０上に位置し得る。例えば、分離ゾーン５９は、前側腰部区域３６及び後側腰部区域３８の一方又は両方において、吸収性物品１０の側縁部１３７の横方向内側に位置し得る。様々な実施形態において、分離ゾーン５９は例えば、締結構成要素５３及び５５によって包囲される領域に隣接するように配置されるか、又はこれに含まれ得る。様々な実施形態において、分離ゾーン５９は、第１締結構成要素５３と第２締結構成要素５５との間に配置され得る。他の実施形態において、分離ゾーン５９の一部が第１側縁部５１の横方向内側に配置され得、第１締結構成要素５３は例えば、側縁部シーム５１と第１の長手方向に延びる側縁部１３７ａとの間に配置され得る。一実施形態において、分離ゾーン５９の一部は、第１締結構成要素５３の横方向内側に配置され得、第１締結構成要素５３は、分離ゾーン５９の横方向内側に配置され得る。他の実施形態において、第１締結構成要素５３は、長手方向に延びる側縁部１３７ａと第１側縁部シーム５１ａとの間で横方向に配置され得る。
【００６０】
分離ゾーン５９は、単純化のためにいくつかの実施形態において点線で例示され、分離ゾーン５９は、実際に線に対する領域を有する「ゾーン」であり得ることが理解される。分離ゾーン５９は、特定のパンツのための任意の好適な大きさであり得る。一実施形態において、例えば、介護者は、分離ゾーン５９内の２つ以上の位置において分離ゾーン５９を分離する選択肢を有し得る。
【００６１】
一実施形態において、分離ゾーン５９は、そこに応力が適用される際に、優先的に破断するか、又は分離することを促進する任意の方法によって、層又は積層に形成されてもよい。分離ゾーン５９はまた、様々な方法によって形成され得、かつ様々なパターンを含み得る。一実施形態において、分離ゾーン５９は例えば、機械又は長手方向（ＭＤ）における強度よりも、強い強度を機械横方向又は横方向（ＣＤ）において提供するパターンを含み得る。この構成は、適用及び使用中において、パンツ様の形状を維持することを助ける一方で、開放の容易性を提供し、パンツ２０の取り外しを可能にするか、又はパンツではなく従来的なテープ式おむつとしての適用を可能にする。他の実施形態において、分離ゾーン５９は脆弱領域を含まないことがあり、その代わりに、例えば、分離ゾーン５９の周囲のパンツ１０の領域が、強化領域を含み得る。このような実施形態において、強化領域と隣接する領域との間の遷移部は、応力集中領域を形成し、これは分離ゾーン５９の分離を伝達することを補助するために使用され得る。
【００６２】
一実施形態において、横方向に対向する分離ゾーン５９のそれぞれは、第１締結構成要素５３の横方向内側の腰部区域３６及び３８の一方に形成され得る、横方向に対向する分離ゾーン縁部を含み得る。このような実施形態において、分離ゾーン縁部は、側縁部１３７の横方向内側にある前側腰部端縁部１３６と交差することがあり、吸収性物品１０の側縁部１３７と、各脚部開口部６２の縁部において交差し得る。他の実施形態において、分離ゾーン縁部はまた、吸収性物品１０上の他の位置上に配置され得る。例えば、分離ゾーン縁部横方向軸４４に向かってほぼ直線状に連続する場合、パンツ２０の連続的な部分は、着用者の脚部周囲で適所に留まり得る。上記のように、分離ゾーン縁部が各脚部開口部６２の縁部と交差するような形状である場合、横方向に対向する分離ゾーン縁部の両方でパンツ２０を引き裂くこと、又は分離することにより、パンツ２０を着用者の腰部及び両脚部から開放し得る。一実施形態において、分離ゾーン５９は、吸収性物品１０の腰部開口部から吸収性物品１０の脚部開口部の一方まで延びる第１分離ゾーン縁部と、吸収性物品１０の腰部開口部から吸収性物品１０の横方向に対向する脚部開口部に延びる第２分離ゾーン縁部とを含み得る。様々な実施形態において第１及び第２分離ゾーン縁部は、線形、非線形、平行又は非平行であり得る。
【００６３】
一実施形態において、分離ゾーン５９は、例えば、超音波封止結合部、熱封止結合部、高圧結合部、高周波結合部、接着剤結合部、粘着剤結合部、縫い結合部、自溶結合部及びこれらの組み合わせを含み得る。いくつかの実施形態において、結合領域は高強度領域を形成し、そのすぐ隣に応力集中領域を形成する。この応力集中領域は、分離ゾーンの分離を可能にすることを補助し得る。別の実施形態において、分離ゾーンを形成するために、結合は分離される場合がある（図示されない）。
【００６４】
一実施形態において、初期腰部開口周辺部６０は、分離ゾーン５９の第１部分を分離ゾーン５９の第２部分から分離することによって開かれるように構成され得る。分離ゾーン５９の第１部分の、分離ゾーン５９の第２部分からの分離は、分離ゾーン５９を通じた、又は少なくとも部分的に通じた線形又は非線形分離縁部を形成し得る。
【００６５】
いくつかの実施形態において、介護者が分離ゾーン５９をパンツ２０の残部から明確に区別できるように、１つ以上の構造的、図形的、又は文章的要素を含む分離ゾーンロケータ又は視覚的信号が提供されてもよい。例えば、分離ゾーンロケータは、分離ゾーン５９に、又はこれに隣接するように印刷され得る。このような実施形態において、視覚的分離ゾーンロケータの存在は、パンツ２０の取り外しに使用するために、分離ゾーン５９の位置を特定するために、介護者にとって有用であることが確認され得る。
【００６６】
一実施形態において、図８を参照し、指タブ７２が側縁部シーム５１に、又はこれに隣接するように配置されてもよく、介護者が指タブ７２を使用して第１締結構成要素５３をパンツ２０の外面１０４から解放し（一実施形態においては、閉鎖結合部を破壊することにより）、その後分離ゾーン５９を破壊することを可能にする。指タブ７２は、第１締結構成要素５３に隣接するように配置され、パンツ２０の側縁部１３７を超えて延び得る。他の実施形態において指タブ７２は、第１締結構成要素５３がその上に配置される表面の一部を形成し得る。
【００６７】
したがって、指タブ７２は、図８に示されるように、分離ゾーン５９と一部分で位置合わせされ得る。しかしながら、タブ７２はあるいは、分離ゾーン５９の意図的な開放を促進する、任意の別の様式で位置付けられ、構成されてもよい。例えば、タブ７２は分離ゾーン５９の実質的に全長に沿って延び得る。タブ７２は、パンツ２０を着用者から取り外すために、初期腰部開口周辺部６０及び脚部開口周辺部６２を切断するために、第１締結構成要素５３及び分離ゾーン５９に開放又は解放力を適用する際に、介護者によって把持されるように構成され得る。タブ７２はまた、介護者が第１締結構成要素５３を開き、分離ゾーン５９、いくつかの実施形態においては閉鎖結合部を切断するための、視覚的把持ポイント及びより大きなてこ作用を提供し得る。
【００６８】
一実施形態において、タブ７２は、タブ７２の露出面（すなわち、パンツ２０が着用される際に可視である表面）上に印刷され得る任意の好適なしるしを含み得る。あるいは、しるしは、例えば、タブ７２に取り付けられた補助層上に配置されてもよい。したがって、しるしは、パンツ２０を着用者から取り外すことを所望する介護者にとって可視であり得る。
【００６９】
一実施形態において、好適なしるしは、図形、文章（例えば、「ここで引く」若しくは「ここで開く」、又はタブ７２の使用を伝達する他の好適な言葉）、周囲のパンツ２０構成要素（例えば、シャーシ１００）と異なる色の区域、及びタブ７２の可視性及び直感性を増加させるこれらの組み合わせを含み得る。更に、指タブ７２、第１締結構成要素５３、非係合ゾーン５４、第２締結構成要素５５、及び分離ゾーン５９は、区別可能な異なる色、パターン、文字を含んでもよく、又は様々な構成要素間の対比を提供する他の特定するためのしるしを有してもよく、それによってこれらの可視性を向上させ、これらの直感的使用を介護者に伝達する。様々な実施形態において、しるしは絵文字、写真、図、漫画、及びロゴを含んでもよい。しるし７６はまた、単一のアイコン、又は一連の同じ若しくは異なるアイコンを含んでもよい。米国特許出願公開第２００６／０２１２０１０号、及び同第２００６／０２１２０１８号に記載されるように、上記の画像以外の図形が、介護人の注意を引き、把持位置を示すために使用され得る。
【００７０】
上記のように、分離ゾーン５９は、破断、分離又は切断されるように構成され、それによって、介護人は、パンツ２０の汚れを点検するか、又は必要により、最初に従来的なテープ式おむつ様式でパンツ２０を適用し、またパンツ２０をこれが汚れた後に着用者から取り除くために、前側腰部区域３６の一部をそれ自体から容易に分離でき、又は後側腰部区域３８の一部をそれ自体から容易に分離できる。一実施形態において、分離ゾーン５９は、介護人が分離ゾーン５９を破壊し、パンツ２０を取り外すことを選択し得るように、約５０００グラム未満、約４０００グラム未満、又は約３０００グラム未満の開放力を有し得る。あるいは、分離ゾーン５９は、無損傷のままであってもよく、例えば、従来的な下着と同様に、介護人又は着用者がパンツ２０を腰部及び脚部から下方に滑らせることを可能にする。
【００７１】
一実施形態において、分離ゾーン５９は、ノッチ又はノッチ部分（例示されない）を含み得る。一実施形態において、ノッチは、例えば、分離ゾーン５９の領域において、２つの分離ゾーン縁部の分離又は引き裂きを得ることを補助してもよい。様々な実施形態において、しるし又は図形は分離ゾーン５９の一部上（例えば、分離ゾーンの中央で）に配置されてもよく、それによって介護人はこの所望の位置で分離ゾーンを引き裂くか、又は分離する。このような実施形態において、分離は脆弱領域、穿孔、ある材料が別の材料に隣接するように位置付けられることなどによって、補助されないことがある。一実施形態において、例えば、生じる分離は非常に荒く、ギザギザで、及び／又は予測不可能であり得る。
【００７２】
代表的な実施形態
一実施形態において、図１〜７を参照し、パンツ２０が着用者の下部胴体上に着用される場合、シャーシ１００の前側腰部端縁部１３６及び後側腰部端縁部１３８は、着用者の腰部の一部を包囲してもよく、一方で同時に、側縁部１３７ａ及び１３７ｂは、着用者の脚部の少なくとも一部を包囲し得る。同時に、股部区域３７は一般に着用者の脚の間に位置され、吸収性アセンブリ２００は前側腰部区域３６から股部区域３７を通って後側腰部区域３８まで延びる。
【００７３】
フランジシーム製造の進行を示す図
一実施形態において、図９〜１４を参照し、吸収性物品１０は横方向軸４４の周囲で折り畳まれ、フランジシーム５８を含むパンツ２０を形成してもよい。吸収性物品１０は、前側腰部端縁部１３６を含む前側腰部区域３６、後側腰部端縁部１３８を含む後側腰部区域３８、１つ以上の第１締結構成要素５３、１つ以上の非係合ゾーン５４、任意により、１つ以上の閉鎖結合部５６、及び長手方向軸４２を含み得る。一実施形態において、１つ以上の閉鎖結合部５６は、吸収性物品１０が横方向軸４４の周囲で折り畳まれて、パンツ２０に形成されるべく備えるまでは、存在しないことがある。様々な実施形態において、吸収性物品１０は、第１腰部区域内に配置される１つ以上の第１締結構成要素５３を含んでもよく、かつ任意により、第１締結構成要素５３と同じ腰部区域内に配置された１つ以上の第２締結構成要素５５を含んでもよい。１つ以上の第２締結構成要素５５は、第１腰部区域の一部として形成されてもよく、第１腰部区域の一部と一体的に形成されてもよく、又は第１締結区域の一部に取り付けられるか若しくはその上に配置されてもよい。一実施形態において、例えば、３つ以上の第２締結構成要素５５が、第１腰部区域の領域に沿って提供されてもよい。様々な実施形態において、第１締結構成要素５３及び第２締結構成要素５５は、同じ腰部区域（例えば、第１腰部区域３６）内で、同じ腰部区域の同じ表面上（例えば、外面１０４）に配置されてもよい。
【００７４】
吸収性物品１０がパンツ２０に形成され得る方法の進行がここで記載される（すなわち、製造者がとる工程）。一実施形態において、図９を参照し、吸収性物品１０の単純化された形態が例示される。吸収性物品１０は、単一パネルを含むものとして例示されるが、当業者は、吸収性物品１０が多数のパネル又は構成要素、例えば、トップシート、バックシート、収容区域、吸収性コア、レッグカフ、ウエストバンド、弾性部材及び／又はサイドパネルを含んでもよいことを認識する。単純化された形成は、単に形成の進行の説明の単純さのために例示される。パンツ２０を形成するため、最初に吸収性物品１０が横方向軸４４の周囲で折り畳まれ、それによって前側腰部区域３６の内面１０２は、後側腰部区域３８の内面１０２に対して表面同士が向かい合う位置に配置される。一実施形態において、この構成は図１０に例示される。図１０の構成にある際、横方向に対向するフランジシーム５８ａ及び５８ｂはそれぞれ、側縁部１３７ａ及び１３７ｂの付近に形成される。この段階において、前側腰部３６は、フランジシーム５８を介して後側腰部区域３８に接合され、分離ゾーン５９は、前側腰部区域３６上の各第１締結構成要素５３と各非係合ゾーン５４の中間に形成され得る。図１０に見られるように、パンツ２０は、恒久的側縁部シーム５１によって形成される初期腰部開口周辺部６０を含む。任意により、図１０に例示される工程において、１つ以上の閉鎖結合部５６は、接着剤結合、粘着剤結合、熱結合、超音波結合、圧力結合などの様々な方法によって形成され得る。閉鎖結合部５６は、各側縁部１３７及び／又は各第１締結構成要素５３の、又はこれに隣接する前側腰部区域３６の外面１０４上に配置され得る。次に、図１１を参照し、フランジシーム５８及び／又は第１締結構成要素５３を含む、吸収性物品１０の部分は、長手方向軸４２に向かう方向で、横方向内側に折り畳まれ得る。一実施形態において、閉鎖結合部５６は、パンツ２０の前側腰部区域３６の外面１０４に対して、折り返された部分を保持し得る。様々な実施形態において、完全に形成されたパンツ２０が図１１に例示される。図１１に見られるように、完全に形成されたパンツ２０は、初期腰部開口周辺部６０を含む。このような実施形態において、第１締結構成要素５３は、初期腰部開口周辺部６０を維持又は形成するために使用されず、実際に、第２締結構成要素５５又はパンツ２０の他の部分と締結可能に係合しないが、これらは非係合ゾーン５４と接触し得る。本明細書において記載されるように、非係合ゾーン５４は、包装される際に、締結構成要素５３がパンツ２０の一部と締結することを防ぐか、又は少なくとも阻止する。いくつかの場合において、消費者（例えば、介護者）は図１１に例示される構成のパンツ２０を受け取る。
【００７５】
一実施形態において、介護者は、パンツ２０を受け取る際又はパンツ２０をパッケージから取り出す際に（パンツ２０は、一実施形態においては図１１に例示される構成である）、パンツ２０をプルオントレーニングパンツ又はテープ式おむつ（type-style diaper）で適用することを決定し得る。パンツ２０をプルオントレーニングパンツとして適用するため、介護人は下着様のパンツ２０を使用してもよく、着用者に各足を各脚部開口部に通させ、パンツ２０を着用者の腰部の周囲の領域に上げてもよい。この実施形態において、第１締結構成要素５３は、パンツ２０の一部、又は第２締結構成要素５５と締結可能に係合しない。これに反して、フランジシーム５８は、初期腰部開口周辺部６０を着用者の腰部の周囲に維持する。介護人が、着用者による使用中のいずれかの時期においてパンツ２０を点検する必要がある場合、介護人は、側縁部１３７に隣接するパンツの一部を引いて閉鎖結合部５６を分離又は破壊し、その後折り返された部分を長手方向軸４２から離すように回転させることにより、分離ゾーン５９を分離するか、又は引き裂くことができる。一実施形態において、分離された又は引き裂かれたゾーン５９が図１２に例示される。様々な実施形態において、前側腰部区域３６の中央部から分離された前側腰部区域３６の１つ以上の部分がその後、図１４に例示される代表的な構成と同様に、前側腰部区域３６に再び取り付けられ得る。パンツ２０が図１２及び図１３の構成にある場合、介護人はパンツを交換する必要があるかどうかを判定するために、パンツ２０を点検することができる。パンツを交換する必要がない場合は、介護人は、第１締結構成要素５３及び第２締結構成要素５５を互いに係合させて、第２腰部開口周辺部６１を形成することによって、パンツ２０を再締結することができる。このような係合の一実施形態が図１４に例示される。一実施形態において、第２締結構成要素５５が提供されない場合、介護人は、第１締結構成要素５３と前側腰部区域３６の別の部分（例えば、バックシート８３）を係合させることができる。
【００７６】
一実施形態において、パンツ２０をテープ式おむつ（type-style diaper）として適用するために、介護人は側縁部１３７に隣接するパンツの一部を引き、閉鎖結合部５６を分離又は破壊し、折り返された部分を長手方向軸４２から離すように回転させることによって分離ゾーン５９を分離するか、又は引き裂くことができる。一実施形態において、この構成は図１２に例示される。図１３を参照し、パンツ２０はその後、横方向軸４４の周囲で広げられ得る。パンツ２０が広げられるとき、一実施形態において、図１３を参照し、前側腰部区域３６の１つ以上の部分が後側腰部区域３８に取り付けたままであり得る。この構成において、パンツ２０は、テープ式おむつの様式で着用者に適用され得る。一実施形態において、適用される構成が図１４に例示される。図１４において、第１締結構成要素５３は、第２締結構成要素５５又は前側腰部区域３６の他の部分と係合し、第２腰部開口周辺部６１を形成する。
【００７７】
代表的な実施形態
一実施形態において、図１５〜１７を参照し、横方向に対向する恒久的な側縁部シーム５１（フランジシーム５８）は、腰部区域３６及び３８の一方又は両方において、側縁部１３７に、又はこれに隣接するように配置され得る。恒久的側縁部シーム５１の結合中、前側腰部区域３６の横方向範囲が後側腰部区域３８と実質的に等しい実施形態においては、図１５に示されるように、恒久的な側縁部シーム５１は、前側腰部区域３６及び後側腰部区域３８の両方において、パンツ２０の側縁部１３７で、又はこれと隣接するように配置され得る。一実施形態において、吸収性物品１０は、股部区域に配置される横方向に延びる折り畳み線で折られ、前側腰部区域３６及び後側腰部区域３８を内面同士が向かい合う配置にしてもよい。その後、恒久的な側縁部シーム５１は、一方の腰部区域３６又は３８の内面を対向する腰部区域３６又は３８の内面に結合することによって形成され得る。第１締結構成要素５３及び任意の第２締結構成要素５５は、恒久的側縁部シーム５１の前、又は恒久的側縁部シーム５１の後に吸収性物品１０に適用されてもよい。このような実施形態において、恒久的な側縁部シーム５１が形成された後、第１締結構成要素５３及び／又は恒久的な側縁部シーム５１を含むパンツ２０の部分は、横方向に折り畳まれる場合があり、それによって第１締結構成要素５３の締結表面を、非係合ゾーン５４と向い合う、表面同士の配置に位置付けることができる。第１締結構成要素５３及び／又は恒久的側縁部シーム５１を含む、パンツ２０のシャーシ１００の横方向内側に折り畳まれた部分は、例えば、閉鎖結合部５６が介護者によって破壊されるまで第１締結構成要素５３の位置を維持するために、閉鎖結合部５６を使用して、吸収性物品１０の表面に、取り外し可能に取り付けられてもよい。パッケージから取り出されると、吸収性物品１０は既にパンツ２０に形成されている。介護人は、最初にパンツ２０の横方向内側に折り畳まれた部分を解放する（例えば、閉鎖結合部５６を破壊することにより）ことによって締結構成要素５３を解放し、分離ゾーン５９を分離することによって初期腰部開口周辺部を破壊し、前側腰部区域３６の一部をそれ自体から分離し、吸収性物品１０の後側腰部区域３８を着用者の下に配置し、前側腰部区域３６の一部上に配置される第１締結構成要素５３を、前側腰部区域３６の上に配置されるか、又はその一部を形成する第２締結構成要素５５へと締結して、第２腰部開口周辺部及びを形成してパンツ２０を再閉鎖することによって、パンツ２０を着用者にパンツの形態で、又はテープ式おむつとして適用することができる。
【００７８】
以下の様々な平坦な、断面による代表的な実施形態を参照する際、同様の番号は同様の特徴を表すが、全ての同様の特徴が各図において付番されているわけではない。一実施形態において、図１６は、図１５のパンツ２０の単純化した平坦な、非収縮状態の例示である。一実施形態において、図１６を参照し、第２締結構成要素５５は、非係合ゾーン５４ａと非係合ゾーン５４ｂとの間の距離の実質的な部分を延ばすことができる。他の実施形態において、第２締結構成要素５５は、別個の構成要素ではない場合があり、例えばバックシート８３などの、パンツ２０の構成要素の１つの一部を形成し得る。他の実施形態において、第２締結構成要素５５は、１つ以上の要素を含み得る。一実施形態において、図１７は、直線Ａ−Ａに沿って取った、図１６の断面図である。図１及び図２は、以下でより詳細に記載されるように、パンツ２０に形成され得る吸収性物品１０の他の実施形態を表す。図１及び図２において、第２締結構成要素が、前側腰部区域において吸収性物品１０の外面の一部を形成するものとして示され、第１締結構成要素５３は前側腰部区域３６に取り付けられてもよい。別の実施形態において、図１８は、パンツに形成され得る吸収性物品１０の単純化した平坦な、非収縮状態の例示である。図１８は、別個の２つの締結構成要素５５ａ及び５５ｂが存在する実施形態を例示する。一実施形態において、第１締結構成要素５３ａは、第２締結構成要素５５ａと係合してもよく、第１締結構成要素５３ｂは第２締結構成要素５５ｂと係合してもよく、パンツ２０に第２腰部開口周辺部６１を形成する。このような実施形態において、例えば、第１締結構成要素５３の少なくとも１つがまた、前側腰部区域３６の他の部分と係合してもよい。図１９は、とりわけ、第２締結構成要素５５ａ及び５５ｂを例示する、直線Ａ−Ａに沿って取った、図１８の断面図である。図２０は、直線Ｂ−Ｂに沿って取った、図１の断面図である。一実施形態において、図２０は、第１締結構成要素５３ａ、分離ゾーン５９ａ及び非係合ゾーン５４ａを例示する。
【００７９】
一実施形態において、図２１及び図２２を参照し、恒久的側縁部シーム５１の結合中、前側腰部区域３６の横方向の範囲が後側腰部区域３８の横方向範囲と実質的に等しくなるように、恒久的な側縁部シーム５１の形成の前に、前側腰部区域３６及び後側腰部区域３８の一方が折り畳まれてもよい。このような実施形態において、生じる恒久的な側縁部シーム５１は、腰部区域３６又は３８の一方で、吸収性物品１０の側縁部１３７に、又はこれと近接するように配置され、対向する腰部区域３６又は３８において、吸収性物品１０の側縁部１３７の横方向外側に配置されてもよい。一実施形態において、吸収性物品１０は、股部区域３７に配置される横方向に延びる折り畳み線で折られ、前側腰部区域３６及び後側腰部区域３８を内面同士が向かい合う配置にしてもよい。第１締結構成要素５３及び任意の第２締結構成要素５５は、恒久的な側縁部シーム５１を形成する前に、吸収性物品１０に適用されてもよい。このような実施形態において、恒久的な側縁部シーム５１を形成する前に、第１締結構成要素５３を含む吸収性物品１０の部分が、横方向内側に折られてもよく、それによって第１締結構成要素５３の締結表面を、非係合ゾーン５４と向い合う、表面同士の配置に位置付ける。第１締結構成要素５３を含むパンツ２０の横方向に折り畳まれた部分は、第１締結構成要素５３の位置をこれが介護者によって解放されるまで維持するために、吸収性物品１０の外面１０４に取り外し可能に取り付けられてもよい（例えば、閉鎖結合部５６を使用して）。その後、恒久的な側縁部シーム５１は、一方の腰部区域３６又は３８の内面を対向する腰部区域３６又は３８の内面に結合することによって形成され得る。パッケージから取り出されるとき、吸収性物品１０は、パンツ２０の形態である。介護人は、第１締結構成要素５３を含む吸収性物品の横方向内側に折り畳まれた部分を解放することと、初期腰部開口周辺部６０を破壊することと、吸収性物品１０の後側腰部区域３６を着用者の下に配置することと、第１締結構成要素５３を第２締結構成要素５５又は吸収性物品１０の別の部分に締結し、それによって第２腰部開口周辺部６１を形成しパンツ２０を再閉鎖することとによって、パンツ２０を着用者にプルオントレーニングパンツとして、又はテープ式おむつとして適用することができる。一実施形態において、図２２は、両方の分離ゾーン５９が分離され、第１側部が非取り付け構成にあり、第２側部が再取り付け構成にあるものとして例示されている。
【００８０】
恒久的側縁部シーム５１の結合の間、腰部区域３６又は３８の一方における、吸収性物品１０の横方向範囲が、対向する腰部区域３６又は３８における吸収性物品１０の横方向範囲よりも大きいパンツ２０の実施形態（すなわち、１つのより広い腰部区域及び１つのより狭い腰部区域を形成する）において（図２３及び図２４参照）、恒久的な側縁部５１は、腰部区域３６又は３８の細い方の側縁部１３７に、又はこれに隣接するように配置され、より広い腰部区域３６又は３８（すなわち、より広い横方向範囲を有する腰部区域）の側縁部１３７の横方向内側に配置され得、一実施形態において、吸収性物品１０は、股部区域３７に配置される横方向に延びる折り畳み線を中心に折り畳まれて、前側腰部区域３６及び後側腰部区域３８を、内面同士が向かい合う配置にする。その後、恒久的な側縁部シーム５１は、一方の腰部区域の内面を対向する腰部区域の内面に結合することによって形成され得る。第１締結構成要素５３、又は任意の第２締結構成要素５５は、恒久的な側縁部シーム５１を形成する前又は後に、吸収性物品１０に適用され得る。このような実施形態において、恒久的な側縁部シーム５１が形成された後、第１締結構成要素５３及び／又は恒久的な側縁部シーム５１を含む吸収性物品１０の部分は、横方向に折り畳まれる場合があり、それによって第１締結構成要素５３の締結表面を、非係合ゾーン５４と向い合う、表面同士の配置に位置付けることができる。第１締結構成要素５３及び／又は恒久的な側縁部シーム５１を含むパンツ２０の横方向内側に折り畳まれた部分は、第１締結構成要素５３の位置を、これが介護人によって解放されるまで（例えば、閉鎖結合部５６を破壊することにより）維持するために、吸収性物品１０の表面に取り外し可能に取り付けられていてもよい。パッケージから取り出されるとき、吸収性物品１０は、パンツ２０の形態である。介護人は、パンツ２０の折り畳まれた部分を横方向内側に解放することと、初期腰部開口周辺部６０を破壊することと、吸収性物品１０の後側腰部区域３８を着用者の下に配置し、第１締結構成要素５３を第２締結構成要素５５又は吸収性物品１０の他の部分に締結し、それによってパンツ２０を再閉鎖して第２腰部開口周辺部６１を形成することと、によって吸収性物品１０を着用者にプルオントレーニングパンツ又はテープ式おむつとして適用することができる。一実施形態において、図２４は、両方の分離ゾーン５９が分離され、第１側部が非取り付け構成にあり、第２側部が再取り付け構成にあるものとして例示されている。
【００８１】
一実施形態において、図２５及び図２６を参照し、別のパンツ２０が例示される。一実施形態において、図２６は、両方の分離ゾーン５９が分離され、第１側部が非取り付け構成にあり、第２側部が再取り付け構成にあるものとして例示されている。一実施形態において、図２７は、図２３、２４、２５及び２６に例示される実施形態を形成するために使用され得る単純化された平面を例示する。一実施形態において、図２８は、直線Ａ−Ａに沿って取った、図２７の断面図である。一実施形態において、図２９は直線Ｂ−Ｂに沿って取った、図２７の（図２８とは）別の断面図を例示する。図３０は、１８９ｃ〜１８９ｊと付番されるサイドパネル、及び５３ｃ〜５３ｊと付番される第１締結構成要素の別の実施形態を例示する。
【００８２】
一実施形態において（図３１〜３４参照）、恒久的側縁部シーム５１の結合の前又はその間、腰部区域３６又は３８の一方における、吸収性物品１０の横方向範囲が、対向する腰部区域における吸収性物品１０の横方向範囲よりも大きく（すなわち、より狭い腰部区域を形成する）、より広い横方向範囲を有する腰部区域３６又は３８は折り畳まれて、より狭い腰部区域３６又は３８と重ねられ、それによって、吸収性物品１０の前側腰部区域３６及び後側腰部区域３８の両方の側縁部１３７に、又はこれに隣接するように配置され得る、恒久的な側縁部シーム５１を形成する。一実施形態において、吸収性物品１０は、股部区域に配置される横方向に延びる折り畳み線で折られ、前側腰部区域３６及び後側腰部区域３８を内面同士が向かい合う配置にする。第１締結構成要素５３は、恒久的な側縁部シーム５１を形成する前に、吸収性物品１０に適用されてもよい。任意の第２締結構成要素５５は、恒久的側縁部シーム５１を形成する前、又は恒久的側縁部シーム５１を形成する後に、適用されてもよい。この実施形態において、恒久的な側縁部シーム５１を形成する前に、第１締結構成要素５３を含む吸収性物品１０の部分が、横方向内側に折られ、それによって第１締結構成要素５３の締結表面を、非係合ゾーン５４と向い合う、表面同士の配置に位置付ける。第１締結構成要素５３を含む、吸収性物品１０の横方向内側に折り畳まれた部分は、第１締結構成要素５３の位置を、これが介護人によって解放されるまで（例えば、閉鎖結合部５６を破壊することにより）維持するために、吸収性物品１０の外面１０４に取り外し可能に取り付けられる。その後、恒久的な側縁部シーム５１は、一方の腰部区域３６又は３８の内面を対向する腰部区域３６又は３８の内面に結合することによって形成され得る。パッケージから取り出されるとき、吸収性物品１０は、パンツ２０の形態である。介護人は、パンツ２０の横方向内側に折り畳まれた部分を解放すること（例えば、閉鎖結合部５６を破壊することによって）と、初期腰部開口周辺部６０を破壊することと、吸収性物品１０の後側腰部区域３８を着用者の下に配置することと、第１締結構成要素５３を第２締結構成要素５５又は前側腰部区域３６の別の部分に締結し、それによってパンツを再閉鎖し、第２腰部開口周辺部６１を形成しすることとによって、吸収性物品１０を着用者にパンツとして、又はテープ式おむつとして適用することができる。一実施形態において、図３２は、図３１のパンツ２０を形成するために使用され得る、単純化した平坦な吸収性物品１０である。図３３は、直線Ａ−Ａに沿って取った、図３２の吸収性物品１０の断面図である。図３４は、直線Ｂ−Ｂに沿って取った、図３２の吸収性物品１０の断面図である。
【００８３】
発明者Ｇａｒｙ  Ｄｅａｎ  ＬａＶｏｎの名で、２０１０年１月２０日に出願された代理人整理番号第１１５７７Ｐ号は一般的に、本出願において記載される実施形態において実施され得る、様々な許容可能な製品特徴を開示する。特に、上記の実施形態は、適宜、代理人整理番号第１１５７７Ｐ号に記載される締結システム及びサイドパネルを含む。
【００８４】
製造方法
以下の作製方法の記述は、一般的に図３５を参照とする。上記の同様の要素の参照は、これらが図３５に例示されていない場合であっても適用される。
【００８５】
一実施形態において、横方向に延びる軸４４に沿って吸収性物品１０を折り畳むための、二つ折りのアセンブリシステムが提供される。システムは、第１真空搬送器６３０、例えば、真空ドラムを含んでもよく、これは別個の吸収性物品１０を受け取るための外側表面を有する。第１真空搬送器６３０は、別個の吸収性物品１０を機械方向に輸送し得る。吸収性物品１０は、前側腰部区域３６及び股部区域３７の前側半分（すなわち、横方向軸４４と前側腰部区域３６との間に配置される股部区域３７の部分）を含む前方半分と、後側腰部区域３８及び股部区域３７の後側半分（すなわち、横方向軸４４と後側腰部区域３８との間に配置される股部区域３７の部分）を含む後方半分とを有する。システムは、第１真空搬送器６３０と隣接するように配置される、第２真空搬送器６４５、例えば第２真空ドラムを含み得る。第２真空搬送器６４５は、第１真空搬送器６３０から、吸収性物品１０の前方半分の少なくとも一部を受け取るように構成され得る。第２真空搬送器６４５は、吸収性物品１０の前方半分の少なくとも部分が、第１真空搬送器６３０から第２真空搬送器６４５に移送され、第２真空搬送器６４５の表面上に把持されるように、剥離力を適用するように構成され得る。システムは、例えば、第１真空搬送器６３０、及び第２真空搬送器６４５の近位に配置された、第３真空搬送器、例えば、真空コンベヤーを含んでもよい。第３真空搬送器は、第３真空搬送器の表面を、第１速度、第２速度で、第１方向、第２方向に移動させるための駆動機構を含み得る。
【００８６】
作製方法の一実施形態において、複数の相互接続されたバックシート８３を含む、連続的なウェブは、一連の横方向に対向する別個のサイドパネル１８９の対と組み合わされる。サイドパネル１８９は、弾性的に延伸性である材料を含んでもよく、サイドパネル１８９の表面上に配置された再締結可能な締結構成要素を更に含み得る。相互接続されるバックシート８３の連続的なウェブはその後、複数の相互接続されたトップシート８１を含む連続的なウェブと接合される。別個の吸収性コア２００は、連続的なバックシート８３ウェブと連続的なトップシート８１ウェブとの間に配置され、それによって複数の相互接続された吸収性収容アセンブリを形成する。ウェブは、複数の別個の吸収性物品１０を形成するように切断される。別個の吸収性物品１０は、第１真空搬送器６３０の上に配置される。あるいは、相互接続された吸収性物品１０の連続的なウェブは、ウェブを別個の吸収性物品１０に切断する前に、第１真空搬送器６３０の上に配置され得る。第１真空搬送器６３０は、図３５に示される真空ドラムの形態であってもよく、あるいは、無限ループに構成される可動小孔性真空搬送器ベルトの形態であり得る。吸収性物品１０は、第２真空搬送器６４５に向かう方向で、第１真空搬送器６３０の表面に沿って移送される。第２真空搬送器６４５は、図３５に示される真空ドラムの形態であってもよく、あるいは、無限ループに構成される可動小孔性真空搬送器ベルトの形態であり得る。前側腰部区域３６及び股部区域３７の前側半分を含む、吸収性物品１０の前方半分の部分は、第１真空搬送器６３０から第２真空搬送器６４５へと移送される。二つ折りクランプ（図示されない）が股部区域３７を、横方向軸４４に、又はこれに隣接するように、第１真空搬送器６３０と接触するように保持し、股部区域３７の後側半分及び後側腰部区域３８を含む吸収性物品１０の後方半分を、第１真空搬送器６３０の表面と接触した状態に維持することを助ける。移送点より下流の第１真空搬送器６３０、及び第２真空搬送器６４５の表面は、互いに分岐する方向に移動している。吸収性物品１０の前方半分は、これが第３真空搬送器６７０に移送されるまで、第２真空搬送器６４５の表面に沿って輸送される。第３真空搬送器及び第２真空搬送器６４５の表面は収束する。二つ折りクランプは、股部区域３７を第１真空搬送器６３０と接触した状態に維持するのみではなく、これは、吸収性物品１０が二つ折りにされる際にその張力を維持するよう補助する。吸収性物品１０の前方半分が第３真空搬送器の表面に沿って移動すると共に、吸収性物品１０の後方半分が第１真空搬送器６３０の表面に沿って移動し、それによって二つ折りの吸収性物品１０を形成する。この点において、第３真空搬送器の表面及び第１真空搬送器６３０の表面は、収束する方向に移動している。米国特許出願公開第２００９／００９８９９５（Ａ１）号、表題「Ｓｙｓｔｅｍ  ｆｏｒ  Ｂｉｆｏｌｄｉｎｇ  ａｎ  Ａｂｓｏｒｂｅｎｔ  Ａｒｔｉｃｌｅ」は、一般的に、上記の、及び本出願の図３５に記載されるプロセスを実行するための、様々な許容可能な実施形態を開示している。より具体的に、米国特許出願公開第２００９／００９８９９５（��１）号に開示される、第１真空搬送器（折り畳みドラム）、第２真空搬送器（剥離ロール）、第３真空搬送器（二つ折り搬送器）は、本出願のプロセスにおいて使用され得る。
【００８７】
一実施形態において、後側腰部区域３８を含む吸収性物品１０の前方半分は、その上に配置される再締結可能な締結構成要素を有するサイドパネル１８９を含み得る。サイドパネル１８９は、第１真空搬送器６３０によって生成される真空によって適所に保持される。一度吸収性物品１０が二つ折りにされると、サイドパネル１８９の一部、例えば再締結可能な締結構成要素を含む部分が横方向内側に折り畳まれて、後側腰部区域３８に配置される締結構成要素を吸収性物品１０の前側腰部区域３６と係合させる。サイドパネル１８９は、真空ツイストベルトなどの第４真空搬送器の手段によって横方向内側に折り畳まれてもよく、又は代わりに、サイドパネル１８９が折り畳みボード又は他の好適な方法によって横方向内側に折り畳まれてもよい。別の実施形態において、サイドパネル１８９は、第１真空搬送器６３０の一部上に配置される折り畳み機構によって折り畳まれてもよい。
【００８８】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【００８９】
発明を実施するための形態で引用した全ての文献を、関連部分において、本明細書における参照としてその全体を組み込む。いかなる文献の引用も、それが本開示に関する先行技術であることを承認するものとして解釈されるべきでない。本開示における用語の任意の意味又は定義が、参照として組み込まれた文書における用語の人の意味又は定義と相反する限り、本開示における用語に指定された意味又は定義に準拠するものとする。
【００９０】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。
【００９１】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の「特許請求の範囲」で扱うものとする。
【図１】
2013517104.tif 000003
【図２】
2013517104.tif 000004
【図３】
2013517104.tif 000005
【図４】
2013517104.tif 000006
【図５】
2013517104.tif 000007
【図６】
2013517104.tif 000008
【図７】
2013517104.tif 000009
【図８】
2013517104.tif 000010
【図９】
2013517104.tif 000011
【図１０】
2013517104.tif 000012
【図１１】
2013517104.tif 000013
【図１２】
2013517104.tif 000014
【図１３】
2013517104.tif 000015
【図１４】
2013517104.tif 000016
【図１５】
2013517104.tif 000017
【図１６】
2013517104.tif 000018
【図１７】
2013517104.tif 000019
【図１８】
2013517104.tif 000020
【図１９】
2013517104.tif 000021
【図２０】
2013517104.tif 000022
【図２１】
2013517104.tif 000023
【図２２】
2013517104.tif 000024
【図２３】
2013517104.tif 000025
【図２４】
2013517104.tif 000026
【図２５】
2013517104.tif 000027
【図２６】
2013517104.tif 000028
【図２７】
2013517104.tif 000029
【図２８】
2013517104.tif 000030
【図２９】
2013517104.tif 000031
【図３０Ａ】
2013517104.tif 000032
【図３０Ｂ】
2013517104.tif 000033
【図３０Ｃ】
2013517104.tif 000034
【図３０Ｄ】
2013517104.tif 000035
【図３０Ｅ】
2013517104.tif 000036
【図３０Ｆ】
2013517104.tif 000037
【図３０Ｇ】
2013517104.tif 000038
【図３０Ｈ】
2013517104.tif 000039
【図３１】
2013517104.tif 000040
【図３２】
2013517104.tif 000041
【図３３】
2013517104.tif 000042
【図３４】
2013517104.tif 000043
【図３５】
2013517104.tif 000044
【国際調査報告】
2013517104.tif 000045
2013517104.tif 000046
2013517104.tif 000047
2013517104.tif 000048
2013517104.tif 000049